(57)【要約】【課題】グリップ性が向上し、防滑性も優れた靴底を提供する。【解決手段】靴底１０は、靴の接地面側に配置される外底１４と、外底１４の所定の部位に配置される凹部２２と、凹部２２内に配置され、靴の接地面側に向いて膨出するクッション性および／または弾性を有した膨出部２４と、凹部２２の周りに間隔を隔てて配置され、その一方側が凹部２２の周縁部に支持・固定されて固定端となり、且つ、その他方側が膨出部２４との間に隙間を有した状態で自由端となる弾性を有したグリップ片２８とを含む。靴底１０の接地面側からグリップ片２８に力が作用したとき、グリップ片２８は膨出部２４に押圧され、グリップ片２８および膨出部２４間に芝等が把握される。【選択図】      図４
2005052235.tif 000002
【特許請求の範囲】
【請求項１】
靴の接地面側に配置される外底、
前記外底の所定の部位に配置される凹部、
前記凹部内に配置され、前記靴の接地面側に向いて膨出するクッション性および／または弾性を有した膨出部、および
前記凹部の周りに間隔を隔てて配置され、その一方側が前記凹部の周縁部に支持・固定されて固定端となり、且つ、その他方側が前記膨出部との間に隙間を有した状態で自由端となる弾性を有したグリップ片を含み、
前記靴の接地面側から前記グリップ片に力が作用したとき、前記グリップ片は前記膨出部に押圧されることを特徴とする、靴底。
【請求項２】
前記凹部の周りには、前記グリップ片の固定端の外側に配置される環状の溝部を含み、前記グリップ片は、前記靴の接地面側と対向する面に配置され、前記グリップ片の長手方向に延びるスリット部を含むことを特徴とする、請求項１に記載の靴底。
【請求項３】
前記膨出部は、前記凹部の略中央に配置され、
前記グリップ片は、前記凹部の周りに間隔を隔てて複数配置されると共に、複数の前記グリップ片の自由端どうしが接触しない状態で、複数の前記グリップ片の自由端が前記膨出部の頂上部の上方に向いて延び設けられることを特徴とする、請求項１または請求項２に記載の靴底。
【請求項４】
前記膨出部は、球冠状の隆起部を含み、前記グリップ片は、前記隆起部と対向する面が曲面部を含み、前記靴の接地面側から前記グリップ片に力が作用したとき、前記隆起部に前記曲面部が面接触されることを特徴とする、請求項１〜請求項３のいずれかに記載の靴底。
【請求項５】
請求項１〜請求項４のいずれかに従属する靴底であって、
前記外底の所定の部位に配置され、その側面に凹面を有するスタッド部、および
前記スタッド部の近傍で前記凹面と対向する位置に配置され、弾性変形可能な突起部をさらに含み、
前記靴の接地面側から前記突起部に力が作用したとき、前記突起部が前記スタット部の凹面に押圧されることを特徴とする、靴底。
【請求項６】
前記スタッド部の凹面が曲面部を含み、前記突起部は、前記凹面と対向する部位が曲面に形成されることを特徴とする、請求項５に記載の靴底。
【請求項７】
前記スタッド部は、前記凹面と間隔を隔てた部位に配置される他の凹面を含み、前記他の凹面は、曲面状に形成されることを特徴とする、請求項５または請求項６に記載の靴底。
【発明の詳細な説明】
【０００１】
【発明の属する技術分野】
本願発明は、靴底に関し、特に、たとえばゴルフシューズに用いられて好適な靴底に関する。
【０００２】
【従来の技術】
従来の技術には、歩行、走行、方向転換、跳躍、側方移動等の足の様々な挙動について、足圧分布履歴計測法で得られた接触線・剥離線データを元に決定された屈曲線図によって、靴底に曲線状の屈曲溝を形成したものがあった（例えば、特許文献１参照。）。屈曲溝の断面形状は、たとえば「コ」の字型、Ｕ字型、Ｖ字型等に形成される。
特許文献１では、踵からつま先までの領域に配したバイオメカニクス的分析結果により得られた屈曲線図に基づく曲線状の屈曲溝により、靴底の広い範囲を路面と接触させて路面把握性（グリップ性）を確保している。
【０００３】
また、従来の技術には、足圧分布履歴計測法で得られた足圧分布データおよび荷重ベクトルデータを元に決定された必須摩擦係数分布図によって、種々の運動形態における靴底に作用する力の方向および作用領域を防滑領域として求め、得られた防滑領域に応じて、靴底に防滑意匠を配置したものがあった（例えば、特許文献２参照。）。防滑意匠は、溝形状、ブロック形状、ドット形状等の防滑構造を有する。
特許文献２では、有効に防滑性を発揮させるために、最大摩擦方向の向き、せん断方向の向き、足圧が大きく作用する領域に応じて、防滑意匠が設けられる。
【０００４】
【特許文献１】
特開平９−７５１０６号公報（第２頁、第４頁、図１０、図１１）
【特許文献２】
特開平９−２０１２０８号公報（第２−３頁、図３）
【０００５】
【発明が解決しようとする課題】
しかしながら、特許文献１に記載された技術では、曲線状の屈曲溝と路面とを接触させることによってのみ、グリップ性を確保しているだけなので、路面がたとえば雨で濡れて滑り易い場合には、路面でのグリップ性を確保することが困難であった。そのため、特許文献１の靴底は、芝生のある路面上で、雨天でも行なわれ得るゴルフ，テニス，サッカー，ラグビー等のスポーツに用いられるスポーツシューズには不適なものであった。
【０００６】
また、特許文献２に記載された技術では、溝形状、ブロック形状、ドット形状等の防滑構造を有する防滑意匠を如何に有効に、最大摩擦方向の向き、せん断方向の向き、足圧が大きく作用する防滑領域に配置するかがポイントとなっており、防滑意匠自体は、先の特許文献１と同様に、防滑意匠と路面との接触による摩擦力で路面のグリップ性を確保しているに過ぎない。したがって、特許文献２の靴底も、芝生のある路面上で、雨天でも行なわれ得るゴルフ，テニス，サッカー，ラグビー等のスポーツに用いられるスポーツシューズには不適なものであった。
【０００７】
さらに、特許文献１では、例えば歩行時、走行時、方向転換時、跳躍時、側方移動時など様々な運動状態における足圧分布データを足圧分布履歴計測装置により測定し、足圧分布データから接触線・剥離線データを決定し、さらに、接触線・剥離線データから屈曲線データを決定し、さらに、この屈曲線データおよび足部解剖データベースに基いて、屈曲溝の意匠が決定され、特許文献２でも、各運動形態において、足圧分布履歴計測装置により測定された足圧分布データおよび荷重ベクトルデータから必須摩擦係数分布データが決定され、さらに、必須摩擦係数分布データおよび足部解剖データベースに基いて防滑領域が決定され、この防滑領域に防滑意匠が決定されるといった具合に、それぞれ、複雑なプロセスを必要とし、非常に手間のかかるものであった。
【０００８】
それゆえに、本願発明の主たる目的は、グリップ性が向上し、防滑性も優れた靴底を提供することである。
【０００９】
【課題を解決するための手段】
請求項１にかかる本願発明は、靴の接地面側に配置される外底と、外底の所定の部位に配置される凹部と、凹部内に配置され、靴の接地面側に向いて膨出するクッション性および／または弾性を有した膨出部と、凹部の周りに間隔を隔てて配置され、その一方側が凹部の周縁部に支持・固定されて固定端となり、且つ、その他方側が膨出部との間に隙間を有した状態で自由端となる弾性を有したグリップ片とを含み、靴の接地面側からグリップ片に力が作用したとき、グリップ片は膨出部に押圧されることを特徴とする、靴底である。
請求項２にかかる本願発明は、請求項１にかかる発明に従属する発明であって、凹部の周りには、グリップ片の固定端の外側に配置される環状の溝部を含み、グリップ片は、靴の接地面側と対向する面に配置され、グリップ片の長手方向に延びるスリット部を含むことを特徴とする、靴底である。なお、スリット部の一端と、環状の溝部の周縁端とは、壁面を介して連接されることが好ましい。
請求項３にかかる本願発明は、請求項１または請求項２にかかる発明に従属する発明であって、膨出部は、凹部の略中央に配置され、グリップ片は、凹部の周りに間隔を隔てて複数配置されると共に、複数のグリップ片の自由端どうしが接触しない状態で、複数のグリップ片の自由端が膨出部の頂上部の上方に向いて延び設けられることを特徴とする、靴底である。
請求項４にかかる本願発明は、請求項１〜請求項３のいずれかにかかる発明に従属する発明であって、膨出部は、球冠状の隆起部を含み、グリップ片は、隆起部と対向する面が曲面部を含み、靴の接地面側からグリップ片に力が作用したとき、隆起部に曲面部が面接触されることを特徴とする、靴底である。
請求項５にかかる本願発明は、請求項１〜請求項４のいずれかにかかる発明に従属する発明であって、外底の所定の部位に配置され、その側面に凹面を有するスタッド部と、スタッド部の近傍で凹面と対向する位置に配置され、弾性変形可能な突起部とをさらに含み、靴の接地面側から突起部に力が作用したとき、突起部がスタッド部の凹面に押圧されることを特徴とする、靴底である。
請求項６にかかる本願発明は、請求項５にかかる発明に従属する発明であって、スタッド部の凹面が曲面部を含み、突起部は、凹面と対向する部位が曲面に形成されることを特徴とする、靴底である。
請求項７にかかる本願発明は、請求項５または請求項６にかかる発明に従属する発明であって、スタッド部は、凹面と間隔を隔てた部位に配置される他の凹面を含み、他の凹面は、曲面状に形成されることを特徴とする、靴底である。
【００１０】
【作用】
請求項１にかかる本願発明では、靴の接地面側からグリップ片に力が作用したとき、グリップ片はその弾性力により、固定端を支点にして、自由端側を中心に膨出部に押圧される。この場合、グリップ片の内側面と膨出部の表面とが押圧接触される。そのため、請求項１にかかる靴底をたとえばゴルフシューズに使用した場合、靴底が着地したときに、グリーン等の芝面の芝がグリップ片と膨出部との間の隙間に入り込み、芝がグリップ片と膨出部とで挟持され把握される。したがって、接地面へのグリップ性が向上し、防滑性も優れたものとなる。
なお、膨出部は、クッション性に優れ、且つ、高弾性の材料で形成されることがより好ましい。この場合、グリップ片と膨出部とが押圧接触されたときの膨出部の摩耗等による劣化が防止される。
請求項２にかかる本願発明では、グリップ片がスリット部を有するため、接地面が雨水等で濡れている場合でも、水はけが良好なものとなる。なお、スリット部の一端と、環状の溝部の周縁端とが、壁面を介して連接された場合、スリット部から溝部への水はけも良好なものとなる。したがって、請求項２にかかる靴底では、防滑性がより一層優れたものとなり、接地面へのグリップ性もより一層向上する。
請求項３にかかる本願発明では、凹部の周りに間隔を持って配置される複数のグリップ片の間に設けられる隙間、および、凹部の略中央で複数のグリップ片の自由端側に設けられる隙間から、芝などが入り込みやすくなる。そのため、靴の接地面側からグリップ片に力が作用したとき、より多くの芝を膨出部とグリップ片との間に把握することができる。この場合、グリップ片が複数配置されるので、膨出部と複数のグリップ片との間で芝などを把握する部位が複数箇所となり、芝などの接地面に対するグリップ性がより一層向上する。
請求項４にかかる本願発明では、膨出部が球冠状の隆起部を含むため、靴底が接地面に着地したとき、凹部の周囲の接地面から、つまり、接地面側のあらゆる方向から膨出部とグリップ片との間に芝が入り込みやすいものとなる。さらに、球冠状の隆起部とグリップ片の曲面部とが面接触されるため、隆起部とグリップ片との間に進入した芝などを確実に把握することが可能となる。
請求項５にかかる本願発明では、靴の接地面側から突起部に力が作用すると、突起部が接地面側から押圧される。この場合、突起部は、その弾性力により弾性変形され、スタッド部の凹面側に傾倒され得る。そのため、請求項５にかかる靴底をたとえばゴルフシューズに使用した場合、靴底が着地したときに、グリーン等の芝面の芝が突起部とスタッド部との間の隙間に入り込み、芝が突起部とスタッド部との間で挟持され把握される。したがって、請求項５にかかる靴底では、請求項１〜請求項４のいずれかにかかる靴底に比べて、さらに一層、接地面へのグリップ性が向上し、防滑性も優れたものとなる。
請求項６にかかる本願発明では、スタッド部の凹面が曲面部を含み、突起部は、凹面と対向する部位が曲面に形成されるため、突起部が弾性変形した場合、突起部と凹面とが常に面接触となり、接触面も広くなる。そのため、靴底が着地したときに、突起部とスタッド部との間に進入した芝などをより確実に把握することが可能となる。なお、突起部が円柱状に形成された場合、突起部は、接地面側において、多様な方向からの圧力に対しても対応することが可能となり、突起部がスタッド部の凹面側に傾倒可能となる。そのため、多様な方向から突起部とスタッド部の凹面との間に芝などを把握することが可能となる。
請求項７にかかる本願発明では、スタッド部が凹面と間隔を隔てた部位に配置される他の凹面を含み、他の凹面が曲面状に形成されるため、靴底が着地したときに、多方向からスタッド部に作用する力をそれぞれ略垂直に受け止めることが可能となる。そのため、請求項７にかかる靴底では、スタッド部のグリップ性が安定したものとなり、より一層、防滑性が向上する。
【００１１】
本願発明の上述の目的，その他の目的，特徴および利点は、図面を参照して行う以下の発明の実施の形態の詳細な説明から一層明らかとなろう。
【００１２】
【発明の実施の形態】
【実施例】
図１は、本願発明にかかる靴底の一実施例を示す平面図である。図２は、図１に示す靴底の要部を示す拡大平面図解図であり、図３は、図２の線Ａ−Ａにおける端面図解図である。本実施例では、本願発明にかかる靴底が、特にたとえば、ゴルフシューズに適用された一例について説明する。なお、本実施例で図示した図１は、靴の接地面側から靴底１２を平面的に見ており、図３、図４，図５，図６および図７では、その上方側が靴底１２の接地面側となるものである。
ゴルフシューズ１０は、たとえば図１に示すように、靴底１２を含む。靴底１２は、靴の接地面側に配置される外底１４を含む。外底１４の一方主面には、たとえば図３に示すように、中底１６が配置される。
【００１３】
外底１４の他方主面には、図１に示すように、所定の部位に６つのグリップ部１８が配置される。本実施例では、靴底１２をそのつま先側から、つま先部Ａ、踏み込み部Ｂ、土踏まず部Ｃおよび踵部Ｄとしたとき、グリップ部１８が、たとえば踏み込み部Ｂの左右に間隔を隔てて、２つずつ配置される。この場合、踏み込み部Ｂの左右に間隔を隔てて、つま先部Ａ側に１つずつ、土踏まず部Ｃ側に１つずつ配置される。さらに、２つのグリップ部１８が、踵部Ｄの左右に間隔を隔てて１つずつ配置される。そして、総数６つのグリップ部１８は、たとえば平面的に見た場合、それぞれ、平面視略円形で環状の溝部２０により区画される。
【００１４】
６つのグリップ部１８は、それぞれ、同様の構造を有するので、１つのグリップ部１８について、たとえば図２および図３を参照しながら詳細に説明する。
すなわち、グリップ部１８は、上記した外底１４の所定の部位で、且つ、溝部２０の内側に配置される凹部２２を含む。凹部２２は、たとえば平面視略円形で断面矩形状の有底穴で構成される。凹部２２内には、靴底１２の接地面側に向いて膨出する膨出部２４が配設される。膨出部２４は、たとえば球冠状の隆起部２６を含み、隆起部２６は、凹部２２の略中央に配置される。膨出部２４および隆起部２６は、クッション性および／または弾性を有する材料でたとえば一体的に形成される。本実施例では、膨出部２４および隆起部２６がＥＶＡ（エチレン−酢酸ビニル共重合体）発泡樹脂材料等のクッション性に優れた弾性体で一体的に形成される。なお、膨出部２４および隆起部２６は、クッション性が極めて優れた高弾性体で形成されることがより好ましい。
【００１５】
凹部２２の周りには、間隔を隔てて、たとえば３つのグリップ片２８が配置される。この場合、凹部２２の周縁部には、たとえばリング状円板形の支持部材３０が配設される。さらに、支持部材３０には、その円周方向に所定の間隔を隔てて、３つのグリップ片２８が配設される。
３つのグリップ片２８は、それぞれ、弾性を有し、その一方側が凹部２２の周縁部に支持・固定されて固定端となり、且つ、その他方側が膨出部２４との間に隙間Ｇを有した状態で自由端となるように構成される。なお、本実施例では、３つのグリップ片２８と支持部材３２とが、ラバー等の弾性体で一体的に形成されている。この場合、上記した膨出部２４，隆起部２６の方が、グリップ片２８，支持部材３２よりも、高弾性でクッション性にも優れたものとなっている。
【００１６】
３つのグリップ片２８は、それぞれ、たとえば平面視矩形状のグリップ片本体３２を含む。グリップ片本体３２の長手方向の一端部は、支持部材３２に支持・固定されることによって、固定端として構成される。また、グリップ片本体３２の長手方向の他端部は、膨出部２４の隆起部２６との間に、所定の隙間Ｇを設けた状態で、隆起部２６の頂上部２６ａの上方に向いて延び設けられることによって、自由端として構成される。
【００１７】
この場合、３つのグリップ片２８は、それぞれ、その自由端どうしが接触しない状態で、支持部材３２側から隆起部２６の頂上部２６ａの上方側に向けて斜め上方に突出するように配設される。また、グリップ片２８は、膨出部２４の隆起部２６と対向する面に、たとえば円弧状の曲面部３４を有するものである。本実施例では、曲面部３４が、隆起部２６の球冠状面の一部と略対応する円弧状面に形成されている。
【００１８】
さらに、３つのグリップ片２８は、特に、図２に示すように、それぞれ、靴の接地面側と対向する面に、たとえば１条のスリット部３６を有する。スリット部３２は、グリップ片本体３２の長手方向の一端側から他端側にかけて直線状に配設される。この場合、スリット部３６は、グリップ片２８の自由端側から固定端側にかけて配設される。また、３つのグリップ片２８のスリット部３６の一端と、環状の溝部２０の周縁端とは、特に、図３に示すように、グリップ片本体３２の外壁面３２ａと支持部材３０の外壁面３０ａとを介して連接される。
【００１９】
また、本実施例の靴底１０では、図１に示すように、外底１４の踏み込み部Ｂおよび踵部Ｄの所定部位に、複数のスタッド部３８が配置される。この場合、複数のスタッド部３８は、所定の間隔を隔てて、略直線状に配列される。複数のスタッド部３８は、それぞれ、同じ構造を有するので、１つのスタッド部３８の構造について、以下に詳述する。
すなわち、スタッド部３８は、図８，図９に示すように、たとえば円弧状の基部４０を含む。基部４０の一方の周面には、その側面にたとえば３つの凹面４２を有する平面視半月状のブロック片４４が連接される。３つの凹面４２は、ブロック片４４の側面の周方向に所定の間隔を隔てて配置され、それぞれ、たとえば円弧状面の曲面部４３を有する。ブロック片４４は、基部４０側から凹面４２側にかけて緩やかに傾斜するブロック体であり、たとえば図８で見た場合、基部４０側から凹面４２側にかけて、ブロック片４４の厚みが漸次小さくなるように傾斜したブロック体である。なお、基部４０の他方の周面には、凹面４２の曲率よりも小さい曲率を有する円弧状面の凹面４１が形成される。
【００２０】
さらに、本実施例の靴底１０では、図１に示すように、スタッド部３８の近傍で且つ凹面４２と対向する位置に、たとえば円柱状の突起部４６が配置される。この場合、突起部４６は、図８に示すように、たとえば３つの凹面４２の内、中央の凹面４２と対向する位置に配置される。突起部４６は、弾性変形可能な材料で形成される。本実施例では、突起部４６が、合成ゴム，天然ゴム等のクッション性を有する弾性材料で形成される。
【００２１】
本実施例では、靴の接地面側からグリップ部１８に力が作用しない場合、たとえば図４に示すように、各グリップ部１８のグリップ片２８は、膨出部２４の隆起部２６と所定の間隔を隔てた状態となっている。そして、靴の接地面側からグリップ部１８に力が作用したとき、たとえば図５に示すように、グリップ片２８は、その弾性力により、固定端を支点にして、自由端側を中心に膨出部２４の隆起部２６に押圧される。そのため、グリップ片２８の内側面と隆起部２６の表面とが押圧接触される。
【００２２】
そのため、本実施例にかかる靴底１０をたとえばゴルフシューズに使用した場合、靴底１０が着地したときに、先ず、たとえば図６に示すように、グリップ片２８と膨出部２４の隆起部２６との間の隙間Ｇに、グリーン等の芝面の芝５０が入り込む。それと略同時に、たとえば図７に示すように、芝５０がグリップ片２８と膨出部２４とで挟持され把握される。
すなわち、本実施例にかかる靴底１０をたとえばゴルフシューズに使用した場合、接地面へのグリップ性が向上し、防滑性も優れたものとなる。
【００２３】
この場合、本実施例の靴底１０では、膨出部２４が凹部２２の略中央に配置され、グリップ片２８が凹部２２の周りに間隔を隔てて複数個配置されると共に、複数のグリップ片２８の自由端どうしが接触しない状態で、膨出部２４の頂上部の上方に向いて延び設けられているので、凹部２２の周りに間隔を持って配置される複数のグリップ片２８の間に設けられる隙間、および、凹部２２の略中央で複数のグリップ片２８の自由端側に設けられる隙間から、芝５０が入り込みやすくなる。
そのため、靴の接地面側からグリップ片２８に力が作用したとき、より多くの芝５０を膨出部２４とグリップ片２８との間に把握することができる。この場合、グリップ片２８が複数個配置されるので、膨出部２４と複数のグリップ片２８との間で芝５０を把握する部位が複数箇所となり、芝５０の接地面に対するグリップ性がより一層向上する。
【００２４】
また、本実施例の靴底１０では、膨出部２４が球冠状の隆起部２６を含むので、靴底が接地面に着地したとき、凹部２２の周囲の接地面側のあらゆる方向から膨出部２４とグリップ片２８との間に芝５０が入り込みやすいものとなる。しかも、隆起部２６とグリップ片２８の曲面部３４とが面接触されるため、膨出部２４とグリップ片２８との間に進入した芝５０が確実に把握される。
【００２５】
さらに、本実施例の靴底１０では、膨出部２４および隆起部２６がＥＶＡ（エチレン−酢酸ビニル共重合体）発泡樹脂材料等のクッション性に優れた弾性体で一体的に形成されているので、膨出部２４の隆起部２６は、グリップ片２８と膨出部２４の隆起部２６とが数多く押圧接触された場合でも、それによる摩耗等の劣化を防止することができる。
【００２６】
また、本実施例の靴底１０では、グリップ片２８がスリット部３６を有するので、接地面側が雨水等で濡れているときでも、水はけが良好なものとなる。しかも、スリット部３６の一端と、環状の溝部２０の周縁端とは、支持部材３０の外壁面３０ａおよびグリップ片本体３２の外壁面３２ａを介して連接されているので、スリット部３６から溝部２０への水はけも良好となる。そのため、本実施例にかかる靴底１０では、防滑性がより一層優れたものとなり、接地面へのグリップ性もより一層向上する。
【００２７】
さらに、本実施例の靴底１０では、その側面に凹面４２を有するスタッド部３８と、スタッド部３８の近傍で凹面４２と対向する位置に配置され、弾性変形可能な突起部４６とを含むため、本実施例にかかる靴底１０をたとえばゴルフシューズに使用した場合、靴の接地面側から突起部４６に力が作用したとき、突起部４６が凹面４２の曲面部４３に押圧される。しかも、本実施例の靴底１０では、図１に示すように、複数のスタッド部３８が略直線状に配列され、その縦並びに隣合うスタッド部３８の１つの凹面４１と凹面４２との間に突起部４６が配置されるため、靴の接地面側からのあらゆる方向からの力に対応して、突起部４６が凹面４１ないし凹面４２の曲面部４３に押圧される。
このとき、グリーン等の芝面の芝５０が突起部４６とスタッド部３８の凹面４１および／または凹面４２との間の隙間に入り込み、芝５０が突起部４６と凹面４１および／または凹面４２の曲面部４３との間で挟持され把握される。そのため、本実施例にかかる靴底１０では、さらに一層、接地面へのグリップ性が向上し、防滑性も優れたものとなる。
【００２８】
この場合、スタッド部３８の凹面４２が曲面部４３を含み、突起部４６が円柱状に形成されるため、つまり、凹面４２と対向する部位（突起部の周胴部）４８が曲面に形成されるため、突起部４６が弾性変形した場合、突起部４６と凹面４２の曲面部４３とが常に面接触となり、接触面が広くとれる。したがって、靴底１０が着地したときに、突起部４６とスタッド部３８との間に進入した芝５０をより確実に把握することができる。
なお、本実施例では、突起部４６が円柱状に形成されているので、突起部４６は、接地面側において、多様な方向からの圧力に対しても対応することができ、突起部４６がスタッド部３８の凹面４２側に傾倒させることが可能となる。そのため、多様な方向から、突起部４６と凹面４２の曲面部４３との間に芝５０を把握させることができる。
【００２９】
さらに、本実施例にかかる靴底１０では、スタッド部３８が凹面４１を有すると共に、突起部４６と対向配置される１つの凹面４２と間隔を隔てた部位に、他の２つの凹面４２を有し、凹面４１および他の凹面４２が曲面状に形成されるので、靴底１０が着地したときに、多方向からスタッド部３８に作用する力をそれぞれ略垂直に受け止めることができる。したがって、本実施例にかかる靴底１０では、スタッド部３８のグリップ性が安定したものとなり、より一層、防滑性を向上させることができる。
【００３０】
上述の実施例では、グリップ部１８が、平面視略円形で環状の溝部２０により区画されたが、グリップ部１８はそれに限定されるものではなく、平面視矩形環状、平面視方形環状、平面視多角形環状等に区画されてもよい。
また、グリップ部１８のグリップ片２８の数および配置も上述の各実施例に限定されるものではなく、たとえばグリップ片２８の数は、２つだけ形成されてもよい。この場合、２つのグリップ片２８は、たとえば支持部材３０の直径方向に対向して配置される。
なお、グリップ片２８の数は、４つ以上形成されてもよい。
【００３１】
さらに、上述の実施例では、突起部４６が円柱状に形成されたが、それに限定されるものではなく、たとえば円錐台状、円錐状に形成されてもよく、また、三角柱状，四角柱状等の角柱状に形成されてもよい。但し、突起部４６は、スタッド部３８の凹面４２と対向する部位が曲面に形成されることが好ましいものである。
【００３２】
また、上述の実施例では、スタッド部３８の３つの凹面４２が、それぞれ、たとえば円弧状面の曲面部４３を有したが、曲面部４３は、円弧状面以外の曲面であってもよい。さらに、凹面４２の内、突起部４６と対向する凹面４２の曲面部４３の形状と、それ以外の凹面４２の曲面部４３の形状とは、相違するものであってもよい。この場合、突起部４６と対向する凹面４２がたとえば円弧状面の曲面部４３を有し、他の２つの凹面４２がたとえば蛇行する円弧状面の曲面部４３を有するものであってもよい。
【００３３】
さらに、図１に示す実施例では、たとえば４つのグリップ部１８が踏み付け部Ｂに、たとえば２つのグリップ部１８が踵部Ｄに、それぞれ配置されたが、グリップ部１８の数および配置箇所は、それに限定されるものではなく、使用者の足圧分布の個体差、あるいは、靴底１０の接地面（路面）の状態等によって、適宜、設定変更可能なものである。
【００３４】
なお、本実施例にかかる靴底は、ゴルフシューズ以外にも、テニス，サッカー，ラグビー等のたとえば芝生のあるグラウンドで行なわれ得るスポーツに使用されるスポーツシューズに用いて好適な靴底である。
【００３５】
【発明の効果】
本願発明によれば、グリップ性が向上し、防滑性も優れた靴底が得られる。
【図面の簡単な説明】
【図１】本願発明にかかる靴底の一実施例を示す平面図である。
【図２】図１に示す靴底の要部を示す拡大平面図解図である。
【図３】図２の線Ａ−Ａにおける端面図解図である。
【図４】グリップ片が押圧されていない状態を示す要部図解図である。
【図５】グリップ片が押圧された状態を示す要部図解図である。
【図６】グリップ片と膨出部との間に芝が入り込んだ状態を示す要部図解図である。
【図７】グリップ片と膨出部との間に入り込んだ芝が把握された状態を示す要部図解図である。
【図８】図１に示す靴底の他の要部を示す拡大斜視図解図である。
【図９】図８の平面図解図である。
【符号の説明】
１０  ゴルフシューズ
１２  靴底
１４  外底
１６  中底
１８  グリップ部
２０  溝部
２２  凹部
２４  膨出部
２６  隆起部
２８  グリップ片
３０  支持部材
３０ａ  支持部材の外壁面
３２  グリップ片本体
３２ａ  グリップ片本体の外壁面
３４  グリップ片の曲面部
３６  スリット部
３８  スタッド部
４０  基部
４２  凹面
４３  凹面の曲面部
４４  ブロック片
４６  突起部
４８  突起部の周胴部
５０  芝
Ａ  つま先部
Ｂ  踏み込み部
Ｃ  土踏まず部
Ｄ  踵部
Ｇ  隙間
【図１】
2005052235.tif 000003
【図２】
2005052235.tif 000004
【図３】
2005052235.tif 000005
【図４】
2005052235.tif 000006
【図５】
2005052235.tif 000007
【図６】
2005052235.tif 000008
【図７】
2005052235.tif 000009
【図８】
2005052235.tif 000010
【図９】
2005052235.tif 000011